(57)【特許請求の範囲】
【請求項１】
上面に第１開口が設けられ、該第１開口に連続する保冷室が区画されたクーラーボックス本体と、
上記クーラーボックス本体に設けられ、上記第１開口を開閉するための蓋部材と、
上記クーラーボックス本体の第１本体側面側に設けられ、上記蓋部材を、上記第１開口を閉塞する閉塞姿勢と上記第１開口を開放する開放姿勢との間で姿勢変化可能に回動支持する回動支持機構とを備え、
上記回動支持機構は、
上記第１本体側面の上端部に設けられ、該第１本体側面に沿って水平方向に延びる第１支持軸と、
上記蓋部材が上記クーラーボックス本体の上面に配置された状態で上記第１本体側面と略連続する上記蓋部材の第１蓋側面の下端部に設けられ、上記第１支持軸の周面に当接することによって上記蓋部材の上記クーラーボックス本体に対する位置決めを行う当接部と、
上記蓋部材の上記第１蓋側面に設けられ、上記蓋部材が上記クーラーボックス本体の上面に配置された状態で上記第１支持軸と平行に配置される第２支持軸と、
上記第２支持軸に回動自在に支持された支持部、及び該支持部から延出され、該支持部が回動することによって上記当接部と協働して上記第１支持軸を挟持するロック姿勢と上記第１支持軸から離反するロック解除姿勢との間で変位する鉤状部を有する回動部材とを備え、
上記鉤状部の外面は、上記ロック姿勢に変位した状態で上記蓋部材の上記第１蓋側面の一部を構成し、上記鉤状部の先端は、上記鉤状部が上記ロック姿勢に変位し且つ上記蓋部材が上記開放姿勢に姿勢変化した状態で上記クーラーボックス本体の上面に露出するよう構成されているクーラーボックス。
【請求項２】
上記鉤状部の先端は、上記鉤状部が上記ロック姿勢に変位し且つ上記蓋部材が上記開放姿勢に姿勢変化した状態で上記クーラーボックス本体の上面に突出している請求項１に記載のクーラーボックス。
【請求項３】
上記鉤状部が上記ロック姿勢に変位した状態で、該鉤状部の外面と上記蓋部材の上記第１蓋側面とが同一平面上で連続するように構成されている請求項１又は２に記載のクーラーボックス。
【請求項４】
上記第１本体側面とは反対側の第２本体側面側に設けられ、上記閉塞姿勢において上記蓋部材と上記クーラーボックス本体とを係合する係合機構と、
上記蓋部材の上面の上記第２本体側面側に姿勢変化可能に設けられ、その姿勢に応じて上記係合機構による係合状態を解除する操作部材とを更に備える請求項１から３のいずれかに記載のクーラーボックス。
【請求項５】
上記蓋部材に設けられ、その上面から上記第１蓋側面とは反対側の第２蓋側面に亘って開放された凹陥部と、
上記凹陥部の底面に設けられ、上記保冷室に連通する第２開口を開閉するための扉とを更に備える請求項１から４のいずれか記載のクーラーボックス。
【請求項６】
シンカーを保持するためのシンカーホルダ及び釣餌を収容するための餌箱の双方若しくはいずれか一方が、上記第１本体側面とは反対側の第２本体側面に取り付けられている請求項１から５のいずれかに記載のクーラーボックス。
【請求項７】
上記当接部は、上記第１支持軸の少なくとも一部を収容する溝部を有する請求項１から６のいずれかに記載のクーラーボックス。
【請求項８】
上記回動支持機構は、
上記クーラーボックス本体に取り付けられ、上記第１支持軸を有する第１ヒンジ部と、
上記蓋部材に取り付けられ、上記当接部、上記第２支持軸及び上記回動部材を有する第２ヒンジ部とにより構成されている請求項１から７のいずれかに記載のクーラーボックス。
【発明の詳細な説明】
【技術分野】
【０００１】
本発明は、主として投釣りに使用されるクーラーボックスの構造に関するものである。
【背景技術】
【０００２】
一般に、釣人は、釣れた魚を保存するためにクーラーボックスを使用する。したがって、クーラーボックスは、第１に高い保冷力が要求される（例えば特許文献１参照）。また、クーラーボックスは、実釣において釣人が釣れた魚を容易且つ迅速に収容することができるものでなければならない。そのため、クーラーボックスの蓋部材には魚を内部に投入するための扉が設けられている（例えば特許文献２参照）。さらに、クーラーボックスは釣場に携行されるものであるから、釣道具を収容することができる道具箱として機能すれば、釣人にとって非常に便利である。例えば、非特許文献１及び非特許文献２には、餌箱や小物入れケース、シンカーホルダなどの付属品が側面に取り付けられたクーラーボックスが開示されている。
【０００３】
特に投釣りでは、釣人は、仕掛けをキャストした後、ロッドをロッドホルダに立て掛けて魚のヒットを待つ。釣人は、ヒットした魚を取り込むとき、あるいは仕掛けを回収するときは、ロッドホルダからロッドを取ってラインをリーリングする。そして、釣人は、ロッドを再びロッドホルダに仮置きし、仕掛けを手に取りながらヒットした魚を釣針から外したり、釣餌を付け替える。このとき、クーラーボックスが道具箱としての機能に加えてロッドを仮保持する機能（例えば非特許文献１及び非特許文献２のロッドスタンド）を備えていれば、釣人にとって魚の取り込みや釣餌の付替作業が容易となり、さらに便利なものとなる。
【０００４】
ところで、近年のクーラーボックスは両開きタイプのものが主流となっている。この種のクーラーボックスは、蓋部材の両サイドから開閉操作をすることができ、更に、蓋部材をクーラーボックス本体から取り外すことができるので便利である。しかしながら、魚釣りに用いられるクーラーボックスとしては、蓋部材の片サイドのみから開閉操作可能な従来の片開きタイプのものが好んで使用される場合がある。特に投釣りにおいては、以下の理由により、片開きタイプのクーラーボックスが専ら使用されている。つまり、投釣りにおいては、釣人は、上記付属品が取り付けられた側からクーラーボックスに対してアクセスする。そのため、付属品が取り付けられた側から蓋部材が開閉すれば、魚の取り込みや釣餌の付替作業に加え、釣った魚の投入動作を同じ側から行うことができるので、釣人にとって使い勝手がよい。言い換えれば、投釣りに使用されるクーラーボックスとしては、反対側が開閉する必要はない。仮に、投釣りに使用されるクーラーボックスとして両開きタイプのものを採用すると、使用勝手が変わらないにもかかわらずクーラーボックスの重量及び外形が大きくなるため好ましくない。
【０００５】
片開きタイプのクーラーボックスにおいては、一方の側面に蓋部材の開閉を実現するためのヒンジが取り付けられており、反対側の他方の側面に把手を兼ねた開閉装置が取り付けられている。本来、ヒンジは、クーラーボックス本体と蓋部材とを回動可能に連結するものである。クーラーボックスを洗うには、片開きタイプのクーラーボックスと言えども、両開きタイプのものと同様に、蓋部材とクーラーボックス本体とを分離することができる構造であることが好ましい。特許文献３乃至特許文献５には、蓋部材の分離を可能とする分離型ヒンジ（分離型蝶番）が開示されている。この分離型ヒンジは、クーラーボックス本体に固定される２つの固定部材と、これらの固定部材を連結して蓋部材の回動軸をなすとともにクーラーボックスの外部から取り外し可能な係合部材とにより構成されている。
【０００６】
【特許文献１】特開２０００−４７５２号公報
【特許文献２】実開平５−７０８０号公報
【特許文献３】実開昭５８−１６８６７０号公報
【特許文献４】実開昭５７−６３８６５号公報
【特許文献５】実開昭５７−７１６７２号公報
【非特許文献１】２００７シマノフィッシングタックルカタログ、株式会社シマノ、２００７年２月２日、ｐ．２５６
【非特許文献２】２００７ダイワ釣用品総合カタログ、ダイワ精工株式会社、２００７年２月１日、ｐ．１８６
【発明の開示】
【発明が解決しようとする課題】
【０００７】
しかしながら、特許文献３乃至特許文献５に記載の分離型ヒンジは、クーラーボックス本体に対して蓋部材が閉じられた状態で、外部から係合部材を取り外すことが可能な構造となっている。そのため、上記分離型ヒンジを構成する係合部材に予期せぬ外力が加えられて該係合部材が外れ、上記分離型ヒンジが知らぬ間に解除されるおそれがある。言うまでもなく、収容物の保冷中に上記分離型ヒンジの連結が解除されると、クーラーボックスの冷気が外部に漏れて十分な保冷力を保持することができなくなる。また、携行時或いは車での運搬時の揺れによって内部に収容された保冷用の水が外部にこぼれ、釣人の衣服や車内を汚すという問題も生じ得る。また、外れた係合部材を紛失すると、蓋部材とクーラーボックス本体との密閉性を保持できなくなるため、もはやクーラーボックスとして機能しなくなる。
【０００８】
そこで、本発明は上記事情に鑑みてなされたものであり、その目的は、片開きタイプのクーラーボックスにおいて、クーラーボックス本体に対する蓋部材の取り外しを可能にして該蓋部材の洗浄を容易にし、クーラーボックスの使用中は蓋部材とクーラーボックス本体とを確実に連結することが可能な回動支持機構を提供することにある。
【課題を解決するための手段】
【０００９】
(1)  上記目的が達成されるため、本発明に係るクーラーボックスは、上面に第１開口が設けられ、該第１開口に連続する保冷室が区画されたクーラーボックス本体と、上記クーラーボックス本体に設けられ、上記第１開口を開閉するための蓋部材と、上記クーラーボックス本体の第１本体側面側に設けられ、上記蓋部材を、上記第１開口を閉塞する閉塞姿勢と上記第１開口を開放する開放姿勢との間で姿勢変化可能に回動支持する回動支持機構とを備えている。上記回動支持機構は、上記第１本体側面の上端部に設けられ、該第１本体側面に沿って水平方向に延びる第１支持軸と、上記蓋部材が上記クーラーボックス本体の上面に配置された状態で上記第１本体側面と略連続する上記蓋部材の第１蓋側面の下端部に設けられ、上記第１支持軸の周面に当接することによって上記蓋部材の上記クーラーボックス本体に対する位置決めを行う当接部と、上記蓋部材の上記第１蓋側面に設けられ、上記蓋部材が上記クーラーボックス本体の上面に配置された状態で上記第１支持軸と平行に配置される第２支持軸と、上記第２支持軸に回動自在に支持された支持部、及び該支持部から延出され、該支持部が回動することによって上記当接部と協働して上記第１支持軸を挟持するロック姿勢と上記第１支持軸から離反するロック解除姿勢との間で変位する鉤状部を有する回動部材とを備えている。上記鉤状部の外面は、上記ロック姿勢に変位した状態で上記蓋部材の上記第１蓋側面の一部を構成し、上記鉤状部の先端は、上記鉤状部が上記ロック姿勢に変位し且つ上記蓋部材が上記閉塞姿勢に姿勢変化した状態で上記クーラーボックス本体の上面に露出するよう構成されている。
【００１０】
蓋部材がクーラーボックス本体上面に配置されると、当接部が第１支持軸の周面に当接して、上記蓋部材がクーラーボックス本体に対して位置決めされる。このとき、蓋部材の第１蓋側面に設けられた回動部材が操作されて、該回動部材の鉤状部がロック解除姿勢からロック姿勢に回動されると、鉤状部が第１支持軸に係合する。この状態で、第１支持軸は、鉤状部と当接部とにより挟持されて、上記蓋部材がクーラーボックス本体に対して回動可能に支持される。蓋部材に設けられた鉤状部及び当接部は、蓋部材の回動に伴って回動する。鉤状部の外面は、鉤状部が上記ロック姿勢に変位した状態で蓋部材の第１蓋側面の一部を構成している。この状態で、鉤状部の先端は第１蓋側面の内部側へ入り込んでいる。鉤状部と第１支持軸との係合は、鉤状部の先端を操作することにより解除可能であるが、このような状態では、釣人は鉤状部の先端をクーラーボックスの外部から操作することができない。また、クーラーボックスの回動支持機構に予期せぬ外力が加えられたとしても、鉤状部と第１支持軸との係合が簡単に解除されることはない。
【００１１】
一方、鉤状部が上記ロック姿勢に変位し且つ上記蓋部材が上記開放姿勢に姿勢変化すると、鉤状部の先端がクーラーボックス本体の上面に露出される。この状態で、釣人は、鉤状部の先端をクーラーボックス本体の上面から操作することが可能となり、つまり、鉤状部と第１支持軸との係合を解除することが可能となる。
【００１２】
このように本発明のクーラーボックスが構成されているため、蓋部材をクーラーボックス本体から取り外すことが可能である。しかも、回動支持機構によってクーラーボックス本体に蓋部材が連結された状態では、回動支持機構による蓋部材の連結が外部から不用意に解除されることはない。これにより、クーラーボックスの使用中、つまりクーラーボックス本体の上面が蓋部材で閉じられた状態では、クーラーボックス本体と蓋部材とを確実に連結することが可能となる。また、クーラーボックスの使用後は、釣人は、クーラーボックス本体から蓋部材を取り外して蓋部材及びクーラーボックス本体を容易に洗浄することが可能となる。
【００１３】
(2)  上記鉤状部の先端は、上記鉤状部が上記ロック姿勢に変位し且つ上記蓋部材が上記開放姿勢に姿勢変化した状態で上記クーラーボックス本体の上面に突出している。
【００１４】
この構成により、釣人は、鉤状部の先端を操作し易くなる。また、鉤状部の先端を下方側へ押し込むという簡単な操作をすることで、鉤状部と第１支持軸との係合を容易に解除することが可能になる。
【００１５】
(3)  上記鉤状部が上記ロック姿勢に変位した状態で、該鉤状部の外面と上記蓋部材の上記第１蓋側面とが同一平面上で連続するように構成されている。
【００１６】
この構成により、第１蓋側面において鉤状部と蓋部材との隙間や段差が殆どなくなり、外部から鉤状部の先端にアクセスされるおそれが著しく低減する。
【００１７】
(4)  本発明のクーラーボックスは、上記第１本体側面とは反対側の第２本体側面側に設けられた係合機構と、上記蓋部材の上面の上記第２本体側面側に姿勢変化可能に設けられた操作部材とを更に備える。係合機構は、上記閉塞姿勢において上記蓋部材と上記クーラーボックス本体とを係合する。操作部材は、その姿勢に応じて上記係合機構による係合状態を解除する。
【００１８】
この構成により、釣人は、クーラーボックスの外観を見ることにより、より詳細には、蓋部材の上面に設けられた操作部材の位置を確認することにより、蓋部材の開方向のみならず、クーラーボックスの向きを容易に把握することができる。また、仮にクーラーボックスに付属品が取り付けられている場合は、その位置を容易に特定することが可能となる。
【００１９】
(5)  本発明のクーラーボックスは、上記蓋部材に設けられた凹陥部と、上記凹陥部の底面に設けられた第２開口を開閉するための扉とを更に備える。凹陥部は、蓋部材の上面から上記第１蓋側面とは反対側の第２蓋側面に亘って開放されている。
【００２０】
釣人は、実釣において上記扉をあけて第２開口を開放することにより、蓋部材を開放させることなく該２開口を通じて釣れた魚をクーラーボックス内部に収容することができる。第２開口が開放された際に、第２開口の周縁に砂やゴミなどが付着する場合がある。本発明のクーラーボックスでは、第２開口を有する凹陥部が蓋部材の上面から第２蓋側面に亘って開放されている。そのため、砂やゴミなどの付着物を第２蓋側面側へ掃き出すようにして容易に除去することが可能となる。
【００２１】
(6)  本発明のクーラーボックスには、シンカーホルダ及び餌箱の双方若しくはいずれか一方が取り付けられている。これらシンカーホルダ及び餌箱は、上記第１本体側面とは反対側の第２本体側面に取り付けられている。ここに、シンカーホルダとは、シンカーを保持するためのものである。また、餌箱とは、魚釣りに用いられる釣餌を収容するためのものである。
【００２２】
この構成により、実釣時において、釣人は、第２本体側面側からクーラーボックスにアクセスすることによって、釣れた魚をクーラーボックスに投入することや、仕掛けの交換作業、餌の交換作業などを行うことができる。
【００２３】
(7)  上記当接部は、上記第１支持軸の少なくとも一部を収容する溝部を有する。
【００２４】
この構成により、第１支持軸が溝部に収容されることで、クーラーボックス本体の上面における蓋部材の位置決めが容易となる。
【００２５】
(8)  上記回動支持機構は、上記クーラーボックス本体に取り付けられた第１ヒンジ部と、上記蓋部材に取り付けられた第２ヒンジ部とを更に備える。第１ヒンジ部は、上記第１支持軸を有する。第２ヒンジ部は、上記当接部、上記第２支持軸及び上記回動部材を有する。
【００２６】
この構成により、上記回動支持機構が具体的に実現される。
【００２７】
(9)  本発明のクーラーボックスは、上記クーラーボックス本体に設けられた本体側掛止部と、上記蓋部材の上面に面して配置される上面操作部、及び上記蓋部材の側面に面して配置される側面操作部を有し、上記上面操作部の上方向への移動と上記側面操作部の内側方向への移動とが連動するように上記蓋部材に設けられた操作部材と、上記蓋部材に設けられ、上記本体側掛止部と係合する係合位置方向に付勢されており、上記上面操作部が上方向へ引き上げられ又は上記側面操作部が内側方向へ押圧されることにより上記係合位置から解除位置へ移動する蓋側掛止部と、上記蓋側掛止部を上記本体側掛止部と係合する係合位置方向に付勢する付勢部材とを更に備える。
【００２８】
このクーラーボックスでは、上面操作部の上方向への移動と側面操作部の内側方向への移動とが連動するため、蓋部材の開操作の際に、上面操作部による操作と側面操作部による操作との２通りの操作を選択することができる。例えば、クーラーボックスの側方の空間が狭くて側面操作部の操作が困難な場合には、上面操作部を上方向に引き上げることによって、蓋部材の開操作を行うことができる。これにより、蓋部材の開操作を容易に行うことができる。
【００２９】
(10)  本発明のクーラーボックスは、上記蓋部材に組み込まれて、上記クーラーボックス本体に設けられた本体側掛止部に係脱する蓋側掛止部と、上記蓋側掛止部を上記本体側掛止部と係合する係合位置方向へ付勢している付勢部材と、上記蓋側掛止部を上記係合位置より解除位置へ切り換える操作部材とを更に備える。上記操作部材は、上記蓋部材の上面に面して配置される上面操作部と、上記蓋部材の側面に面して配置される側面操作部とを有し、上記上面操作部の上方向への移動と上記側面操作部の内側方向への移動とが連動するように上記蓋部材に設けられ、上記蓋側掛止部は、上記蓋部材に設けられて上記本体側掛止部を下開口より挿入可能な空間部に配置され、上記付勢部材により上記空間部を形成している外側立壁部の内面方向へ付勢され、上記上面操作部を上方向に引き上げる又は上記側面操作部を上記蓋部材の外側から内側方向へ押圧することにより上記付勢部材の付勢力に抗し回動されて上記係合位置より解除位置へ切り換えられる。
【００３０】
このように構成されたクーラーボックスであっても、上面操作部の上方向への移動と側面操作部の内側方向への移動とが連動するため、蓋部材の開操作の際に、上面操作部による操作と側面操作部による操作との２通りの操作を選択することができる。例えば、クーラーボックスの側方の空間が狭くて側面操作部の操作が困難な場合には、上面操作部を上方向に引き上げることによって、蓋部材の開操作を行うことができる。これにより、蓋部材の開操作を容易に行うことができる。
【００３１】
(11)  上記操作部材は、上記上面操作部と上記側面操作部との間に設けられた回転軸を中心に揺動可能に設けられる。
【００３２】
この構成により、上面操作部を引き上げると、操作部材が回転軸を中心に回動し、側面操作部が内側方向に移動する。また、側面操作部を内側方向に押圧すると、操作部材が回転軸を中心に回動し、上面操作部が上方へ移動する。このように、このクーラーボックスでは、簡易な構造で上面操作部と側面操作部とを連動させることができる。
【００３３】
(12)  上記操作部材と上記蓋側掛止部とは別体であり、上記操作部材の動きを上記蓋側掛止部に伝達する伝達部をさらに備える。
【００３４】
この構成によれば、操作部材と蓋側掛止部とは別体であり、操作部材の動きが伝達部によって蓋側掛止部に伝達される。このため、操作部材と蓋側掛止部の動作の自由度を向上させることができる。例えば、操作部材と蓋側掛止部とが別体であれば、操作部材の移動量を蓋側掛止部の移動量と比べて大きくすることも容易であり、操作部材を少し操作しただけで誤って蓋が開いてしまうことを防止することができる。また、蓋側掛止部を操作部材の動きに連動して操作部材と同方向に移動させることに限らず、操作部材と異なる方向に移動させることも可能である。
【００３５】
(13)  上記蓋側掛止部は、上記操作部材と横並びに一体に形成されている。
【００３６】
この構成により、蓋側掛止部が操作部材と横並びに一体に形成されているため、部品点数を削減することができる。
【００３７】
(14)  上記操作部材は、上記蓋部材の上面と側面とに亘って設けられた凹部に取り付けられ、上記上面操作部から上記側面操作部までに亘る部分が外部に露出する。
【００３８】
このクーラーボックスでは、操作部材のうち、上面操作部から側面操作部までに亘る部分が外部に露出しているため、釣人が触れることができる部分が大きい。このため、操作部材の操作を行い易くすることができる。
【００３９】
(15)  上記操作部材の外面は、上記蓋部材の上面および側面と面一となっている。
【００４０】
この構成によれば、操作部材の外面が蓋部材の上面および側面と面一となっているため、クーラーボックスの美観を向上させることができる。
【００４１】
(16)  上記付勢部材は、圧縮コイルバネである。
【００４２】
この構成により、ねじりコイルバネが用いられる場合と比べて、蓋側掛止部から伝わる力に対して効率よく反力を生じさせることができる。
【００４３】
(17)  上記蓋側掛止部の下端には、上記本体側掛止部と係合する爪部が設けられており、
上記蓋側掛止部の上端には、上記圧縮コイルバネが取り付けられるバネ取付部が設けられている。
【００４４】
この構成により、バネ取付部への圧縮コイルバネの取付を容易に行うことができる。
【００４５】
(18)  上記付勢部材は、上記蓋側掛止部の上記本体側掛止部と反対側に設けられた円錐バネである。
【００４６】
この構成により、円錐バネが圧縮された状態において軸方向長さを短くすることができる。そのため、蓋側掛止部の箱側掛止部と反対側の空間が狭い場合でも、付勢部材を容易に配置することができる。
【発明の効果】
【００４７】
本発明によれば、片開きタイプのクーラーボックスにおいて、クーラーボックス本体に対する蓋部材の取り外しを可能にして該蓋部材の洗浄を容易にし、且つ、クーラーボックスの使用中は蓋部材とクーラーボックス本体とを確実に連結することが可能となる。
【発明を実施するための最良の形態】
【００４８】
以下、適宜図面が参照されつつ、好ましい実施形態に基づいて本発明が詳細に説明される。
【００４９】
〈クーラーボックス１００の概略〉
図１及び図２は、本発明の一実施形態に係るクーラーボックス１００の外観を示す斜視図である。図１には、正面側から見たクーラーボックス１００の斜視外観が示されており、図２には、背面側から見たクーラーボックス１００の斜視外観が示されている。
【００５０】
クーラーボックス１００は、魚釣り等のレジャーに使用され、主に、釣れた魚や飲料水等を冷蔵することができる。このクーラーボックス１００は、本体２（本発明のクーラーボックス本体に相当）と、上蓋３（本発明の蓋部材に相当）とを備えている。上蓋３は、本体２の上面１０２に設けられた開口８４（本発明の第１開口に相当）を開閉するためのものである。上蓋３は、本体２に対して開閉自在に設けられている。本実施形態に係るクーラーボックス１００は、片側のみから一方向に上蓋３を開閉操作することが可能に構成されており、所謂片開きタイプのものである。図１（Ａ）及び図２（Ａ）には、上蓋３によって開口８４が閉塞された閉塞姿勢が示されており、図１（Ｂ）及び図２（Ｂ）には、上蓋３によって開口８４が開放された開放姿勢が示されている。
【００５１】
〈本体２〉
本体２は、樹脂（典型的にはポリプロピレン）により成形されており、図１及び図２に示されるように、略直方体形状に形成されている。具体的には、本体２は、一対の本体短側壁２１，２２と、一対の本体長側壁２３，２４と、底壁２５とによって構成されている。本体短側壁２１，２２はいずれも直方体形状の短手方向の側面を形成しており、詳細には、本体短側壁２１が本体２の左側面を形成し、本体短側壁２２が本体２の右側面を形成している。また、本体長側壁２３，２４はいずれも直方体形状の長手方向の側面を形成しており、詳細には、本体長側壁２３が本体２の前面１０４（本発明の第２本体側面に相当）を形成し、本体長側壁２４が本体２の後面１０６（本発明の第１本体側面に相当）を形成している。
【００５２】
本体２の内部には、保冷室８０が区画形成されている。この保冷室８０は、側壁２１〜２４及び底壁２５の内面によって区画されている。保冷室８０は、図１及び図２の（Ｂ）に示されるように、本体２の開口８４に連続している。つまり、保冷室８０は、上方が開口８４によって外部に開放されている。開口８４の開口縁部２８は滑面に形成されている。後述されるように、上蓋３が閉じられたときは、上蓋３に設けられたシール部材３６が開口縁部２８に当接され、これにより、上蓋３は液密的に本体２と接触することになる。また、保冷室８０を区画する側壁２１〜２４及び底壁２５の内部には、断熱材が封入されている。この断熱材は、典型的には発泡ポリウレタン、発泡スチロールその他発泡樹脂が採用される。ただし、発泡樹脂に代えて真空断熱パネルが配置されてもよい。
【００５３】
〈上蓋３〉
図１及び図２に示されるように、上蓋３は、本体２の上面１０２の外形形状に対応して矩形の板状に形成されている。そのため、上蓋３が本体２の開口８４を閉塞した状態では、上面視において、上蓋３は本体２の外形形状と一致する。したがって、上蓋３が本体２の開口８４を閉塞した状態では、上蓋３と本体２との間に若干の隙間が生じるものの、上蓋３の側面と本体２の側面とは同一面上で略連続することになる。
【００５４】
上蓋３は、本体２と同様に、樹脂（典型的にはポリプロピレン）により成形されている。上蓋３の内部は中空状に形成されており、その内部に断熱材が封入されている。上蓋３は、後述される回動支持機構１２０（本発明の回動支持機構に相当）によって本体２に回動可能に支持されている。これにより、上蓋３は、本体２の開口８４を閉塞する閉塞姿勢と開口８４を開放する開放姿勢とに姿勢変化可能となる。なお、回動支持機構１２０の構成および動作については後述される。
【００５５】
〈扉８８〉
図３は、上蓋３に設けられた扉８８を示す部分斜視図である。
【００５６】
図１乃至図３に示されるように、上蓋３の上面１１２には、上蓋３に比べて小さい扉８８（本発明の扉に相当）が設けられている。図３には、扉８８が開けられた状態が示されている。この扉８８は、上蓋３の上面１１２に設けられた矩形状の投入口８９（本発明の第２開口に相当）を開閉するためのものである。図３に示されるように、上蓋３の上面１１２には、上蓋３の厚み方向へ凹んだ凹陥部９０（本発明の凹陥部に相当）が形成されている。投入口８９は、凹陥部９０の底面９１に形成されている。この投入口８９は、上蓋３が本体２に対して閉じられた状態で、保冷室８０に連通している。本実施形態では、投入口８９は、投釣りの対象魚（例えば鱚など）が挿通可能なサイズに形成されている。もちろん、上記対象魚に限られず、必要に応じて保冷室に投入される収容物（飲料ボトルや氷など）が挿通可能に形成されていてもよい。
【００５７】
図３に示されるように、凹陥部９０の後端部９４（クーラーボックス１００の背面側の端部）に軸９２が設けられている。一方、扉８８の一端には軸受け９３が設けられている。軸受け９３には、軸９２を回動可能に支持する軸孔が形成されており、この軸孔に軸９２が挿通されている。これにより、扉８８は、軸受け９３を介して軸９２の周方向に回動可能となる。本実施形態では、扉８８は、上蓋３の開閉方向と同じ方向に開閉されるように支持されている。
【００５８】
扉８８の裏面には、凹陥部９０の底面９１の形状に対応して形成された蓋部９５が設けられている。蓋部９５は、例えば、弾性を有する部材（ＮＢＲやシリコンなど）で構成されている。扉８８が閉じられると、蓋部９５の周縁が投入口８９の周縁に当接して密着する。扉８８の前方側（クーラーボックス１００の正面側）にレバー９６（図１参照）が回動可能に設けられている。レバー９６の先端には鉤状のフック９７が設けられている。一方、凹陥部９０の前方側には、フック９７と係合可能な係合片９８が水平方向に延設されている。投入口８９に対して扉８８が閉じられると、係合片９８にフック９７が掛け止められる。これにより、扉８８は、投入光８９を閉じた状態を維持することができる。また、レバー９６が操作されると、フック９７と係合片９８との係合が解除されて、扉８８を開けることが可能になる。
【００５９】
本実施形態では、図３に示されるように、凹陥部９０は、上蓋３の上面１１２から上蓋３の正面側の側面１１４（本発明の第２蓋側面に相当）に亘って設けられている。つまり、凹陥部９０は、上蓋３の上面１１２及び側面１１４それぞれに開放されている。したがって、投入口８９の周縁に砂や塵埃などが付着したとしても、この付着物を側面１１４側へ掃き出すようにして除去することができる。また、投入口８９の周辺を水洗いすることによって、投入口８９だけでなく凹陥部９０の前方側へ水とともに砂や塵埃を洗い流すことができる。これにより、凹陥部９０内に砂や塵埃などの付着物の洗い残しが生じることはない。なお、底面９１を側面１１４側へ下り傾斜させてもよい。このように底面９１を傾斜させることで、凹陥部９０の前方側へ水が流れやすくなり、上記付着物を容易に洗い流すことができる。
【００６０】
〈開閉装置１Ａの概略〉
図１及び図２に示されるように、クーラーボックス１００の前面１０４には、本体２の開口８４が上蓋３で閉じられた状態で上蓋３と本体２とを一時的にロックし、所定の操作が行われることにより上記ロックを解除する開閉装置１Ａが設けられている。この開閉装置１Ａの構成及び動作については後段で詳細に説明される。
【００６１】
〈回動支持機構１２０〉
図２（Ａ）に示されるように、クーラーボックス１００の背面には、２つの回動支持機構１２０が設けられている。回動支持機構１２０は、図１及び図２に示されるように、クーラーボックス１００の背面側のみに設けられている。回動支持機構１２０は、本体２の後面１０６と上蓋３の背面側の側面１１６（本発明の第１蓋側面に相当）とに亘って取り付けられている。この回動支持機構１２０は、本体２に対して上蓋３を回動可能に支持するものであり、詳細には、開口８４を閉塞する閉塞姿勢と開口８４を開放する開放姿勢との間で姿勢変化可能に上蓋３を本体２に支持するものである。本実施形態では、クーラーボックス１００の背面において、２つの回動支持機構１２０が幅方向に隔てられて配置されている。以下、クーラーボックス１００の背面から見て左側の回動支持機構１２０の構成及び動作について説明される。なお、各回動支持機構１２０は同じ構成を有しているため、本実施形態では、右側の回動支持機構１２０の構成の説明は省略される。
【００６２】
図４は、回動支持機構１２０の構成を示す部分拡大図である。
【００６３】
回動支持機構１２０は、図４に示されるように、本体側ヒンジ１２１（本発明の第１ヒンジ部に相当）と、蓋側ヒンジ１２２（本発明の第２ヒンジ部に相当）とにより構成されている。本体側ヒンジ１２１は、本体２の後面１０６の上端部に取り付けられている。また、蓋側ヒンジ１２２は、上蓋３の側面１１６の下端部に取り付けられている。これら本体側ヒンジ１２１と蓋側ヒンジ１２２とは、互いに連結可能であり、且つ、連結解除可能に構成されている。図４の（Ａ）には、本体側ヒンジ１２１と蓋側ヒンジ１２２とが連結した状態が示されており、図４の（Ｂ）には、本体側ヒンジ１２１と蓋側ヒンジ１２２との連結が解除された状態が示されている。
【００６４】
〈本体側ヒンジ１２１〉
図５は、本体側ヒンジ１２１の構成を示す部品図であり、（Ａ）は正面図、（Ｂ）は上面図、（Ｃ）は側面図、（Ｄ）は（Ａ）における切断線VD−VDの断面図である。
【００６５】
図５に示されるように、本体側ヒンジ１２１は、横長の長方形状に形成された板状の台座１２５を備える。台座１２５は、樹脂を型で射出成形することにより得られる。台座１２５には、その表面１２７の上部から台座１２５の上面１２９に亘って切り欠かれた凹部１３１が設けられている。凹部１３１は、台座１２５の長手方向（図５（Ａ）の左右方向）に長い形状に形成されている。
【００６６】
本体側ヒンジ１２１は、支軸１３９（本発明の第１支持軸に相当）を有する。支軸１３９は、凹部１３１内に取り付けられている。この支軸１３９は、凹部１３１を台座１２５の長手方向に渡すように取り付けられている。支軸１３９は、例えば、海水などによる腐食に強い耐食性鋼材（例えばステンレス）で構成されている。もちろん、樹脂で構成されていてもよい。凹部１３１内の右側面１３３には、台座１２５を図４（Ａ）の左右方向へ貫通する孔１３５（図５（Ｃ）参照）が設けられている。また、凹部１３１内の左側面１３４には、裏面１２８から表面１２７へ向けて切り欠かれた溝１３７（図５（Ｄ）参照）が設けられている。溝１３７は、深さ方向へ先細りのテーパ状に形成されている。支軸１３９は、その一方端が孔１３５に支持され、他方端が溝１３７に支持されている。この支軸１３９に、後述される係合レバー１２３（図７参照、本発明の回動部材に相当）のフック１７２が係合される。
【００６７】
台座１２５の裏面１２８側には、長手方向（図５（Ａ）の左右方向）に隔てられた２つのピン１４１が設けられている。ピン１４１は、裏面１２８に垂直な方向へ突出している。本体側ヒンジ１２１が本体２の後面１０６に取り付けられる際に、ピン１４１が後面１０６に形成された図示しない孔に挿入される。これにより、後面１０６において本体側ヒンジ１２１の取付位置が位置決めされる。この状態で、凹部１３１の底面に設けられた貫通孔１４３にネジなどの締結具が締め込まれることにより、本体側ヒンジ１２１が本体２の後面１０６に固定される。本体側ヒンジ１２１が本体２の後面１０６に固定されることにより、支軸１３９は、図４に示されるように、後面１０６に沿って水平方向（図４の左右方向）へ延出される。
【００６８】
〈蓋側ヒンジ１２２〉
図６は、蓋側ヒンジ１２２の構成を示す部品図であり、（Ａ）は正面図、（Ｂ）は上面図、（Ｃ）は側面図、（Ｄ）は（Ａ）における切断線VID−VIDの断面図である。
【００６９】
図６に示されるように、蓋側ヒンジ１２２は、横長の長方形状に形成された板状の台座１４７を備える。台座１４７は、樹脂を型で射出成形することにより得られる。台座１４７には、その表面１４９の中央付近に凹部１５３が設けられている。凹部１５３は、台座１４７の長手方向（図６（Ｂ）の左右方向）に長い形状に形成されている。
【００７０】
蓋側ヒンジ１２２は、支軸１５５（本発明の第２支持軸に相当）を有する。支軸１５５は、凹部１５３内に取り付けられている。この支軸１５５は、凹部１５３を台座１４７の長手方向に渡すように取り付けられている。支軸１５５は、例えば、海水などによる腐食に強い耐食性鋼材（例えばステンレス）で構成されている。もちろん樹脂で構成されていてもよい。凹部１５３内の両側面１５７それぞれには、台座１４７の裏面１５０から表面１４９へ向けて切り欠かれた溝１５９（図５（Ｄ）参照）が設けられている。溝１５９は、深さ方向に先細りのテーパ状に形成されている。支軸１５５は、その両端それぞれが両側面１５７それぞれに設けられた溝１５９に支持されている。この支軸１５５に、後述される係合レバー１２３（図７参照）の支持部１６５（本発明の支持部に相当）が回動可能に軸支される。
【００７１】
凹部１３１の底面には、裏面１５０側へ貫通する２つの貫通孔１６１が設けられている。貫通孔１６１は、長手方向（図５（Ａ）の左右方向）に隔てられている。後述される係合レバー１２３の支持部１６５が支軸１５５に支持され、その状態で蓋側ヒンジ１２２の裏面１５０を上蓋３の側面１１６に当接させて、貫通孔１６１にネジなどの締結具を締め込むことにより、蓋側ヒンジ１２２が側面１１６に固定される。蓋側ヒンジ１２２が上蓋３の側面１１６に固定されることにより、支軸１５５は、図４に示されるように、側面１１６に沿って水平方向（図４の左右方向）へ延出される。言い換えると、上蓋３が本体２の上面１０２に配置された状態で、支軸１５５は、本体側ヒンジ１２１の支軸１３９と平行に配置される。
【００７２】
各貫通孔１６１の近傍に突起１３２が設けられている。突起１３２は、上蓋３が本体２に取り付けられた状態で、上蓋３の開方向の姿勢を規制するものである。突起１３２は、凹部１３１の底面から表面１４９へ向けて垂直に突出している。図７（Ｄ）に示されるように、突起１３２の突出端は、表面１４９に達している。上蓋３が開方向へ回動されると、突起１３２の突出端が後述される凹凸面１７８に当接して、上蓋３の姿勢が規制される。
【００７３】
蓋側ヒンジ１２２には、２つの当接部１６２が設けられている。当接部１６２は、台座１４７の貫通孔１６１付近から下方（図６（Ａ）の下方）へ延出されている。したがって、蓋側ヒンジ１２２が側面１１６に取り付けられた状態で、当接部１６２は、側面１１６の下端部に配置される。当接部１６２の延出端には、溝１６３が形成されている。本体側ヒンジ１２１と蓋側ヒンジ１２２とを連結する際に、溝１６３と本体側ヒンジ１２１の支軸１３９とを位置合わせしてから本体２の上面１０２に上蓋３が配置されると、本体側ヒンジ１２１の支軸１３９が溝１６３に収容される。このとき、支軸１３９の周面が溝１６３の内面に当接される。これにより、本体２の上面１０２に対して上蓋３が位置決めされる。
【００７４】
〈係合レバー１２３〉
図７は、係合レバー１２３の構成を示す部品図であり、（Ａ）は正面図、（Ｂ）は上面図、（Ｃ）は側面図である。また、図８は、蓋側ヒンジ１２２に係合レバー１２３が取り付けられた状態を示す斜視図である。なお、図８は、上蓋３を裏面側から見た斜視図である。
【００７５】
係合レバー１２３は、蓋側ヒンジ１２２に取り付けられるものであり、図７に示されるように、支持部１６５と、アーム１７０（本発明の鉤状部に相当）とを有する。支持部１６５は円筒状に形成されており、その内部に貫通孔１６７が形成されている。貫通孔１６７は、蓋側ヒンジ１２２の支軸１５５を挿通可能なサイズに形成されている。蓋側ヒンジ１２２の支軸１５５が貫通孔１６７に挿通されることにより、支軸１５５を中心に係合レバー１２３が回動自在に支持される。
【００７６】
アーム１７０は、支持部１６５から貫通孔１６７と直交する方向に延出されている。このアーム１７０は、側面視で鉤状に形成されている。詳細には、アーム１７０の延出端に、鉤状に屈曲形成されたフック１７２が設けられている。このフック１７２の内側面には窪み１７４が形成されている。窪み１７４は、本体側ヒンジ１２１の支軸１３９の外周面に対応して、湾曲状に形成されている。なお、本実施形態では、図８に示されるように、係合レバー１２３は、フック１７２の先端１７２が上蓋３の側面１１６に対向するように蓋側ヒンジ１２２に取り付けられる。
【００７７】
アーム１７０の外面１７６には、凹凸面１７８が設けられている。凹凸面１７８は、複数の凸状のリブが連続して形成されてなる。上蓋３が本体２に取り付けられた状態で、上蓋３が開方向へ回動されると、突起１３２が凹凸面１７８に当接される。このとき、突起１３２の突出端の角が凹凸面１７８に引っ掛かり、上蓋３の回動姿勢を確実に規制する。また、凹凸面１７８は、釣人によって押圧操作される部分でもある。凹凸面１７８が凹凸状に形成されているため、釣人は、押圧操作時に指を滑らすことなく係合レバー１２３を操作することができる。
【００７８】
〈上蓋３の取り付け動作〉
以下、図９が参照されつつ、上蓋３を本体２の上面に取り付ける動作について説明される。図９は、回動支持機構１２０の縦断面構造を示す部分断面図である。図９の（Ａ）には、係合レバー１２３のロックが解除された状態が示されており、（Ｂ）には、係合レバー１２３によるロック状態が示されている。
【００７９】
上蓋３が本体２の上面１０２に配置されると、当接部１６２の溝１６３に本体側ヒンジ１２１の支軸１３９が挿入される。これにより、上蓋３が本体２に対して位置決めされる（図９（Ａ）参照）。このとき、係合レバー１２３のアーム１７０は、図９（Ａ）に示されるように、フック１７２が支軸１３９から離反する姿勢（ロック解除姿勢）を保持する。
【００８０】
そして、凹凸面１７８が押圧されるなどして、蓋側ヒンジ１２２に設けられた係合レバー１２３が操作されて、係合レバー１２３のアーム１７０がロック解除姿勢から矢印１８４の方向へ回動されると、アーム１７０のフック１７２が支軸１３９に係合してロック姿勢となる（図９（Ｂ）参照）。詳細には、フック１７２の先端１７３が支軸１３９に押し付けられると、フック１７２が支軸１３９の外方向へ撓まされる。そして、先端１７３が支軸１３９を通過すると、フック１７２の窪み１７４に支軸１３９が嵌め入れられ、それと同時に、先端１７３の撓みが復元される。一旦、窪み１７４に支軸１３９が入り込むと、先端１７３の撓みが元の状態に戻されるため、支軸１３９はフック１７２から容易に外れない構造となっている。この状態で、支軸１３９は、アーム１７０のフック１７２と当接部１６２の溝１６３とにより挟持されて、上蓋３が本体２の上面１０２に対して開閉可能に支持される。
【００８１】
係合レバー１２３および当接部１６２は、上蓋３の開閉動作にともなって同じ方向に回動する。アーム１７０の外面１７６は、アーム１７０が上記ロック姿勢に変位した状態で、上蓋３の側面１１６の一部を構成している。具体的には、図９（Ｂ）に示されるように、アーム１７０が上記ロック姿勢にある状態で、外面１７６と側面１１６とが同一平面上で連続している。この状態で、フック１７２の先端は側面１１６の内部側へ入り込んでいる。フック１７２と支軸１３９との係合は、フック１７２の先端１７３を操作することにより解除可能であるが、アーム１７０が上記ロック姿勢にある状態では、釣人は、フック１７２の先端１７３をクーラーボックス１００の外部から操作することができない。また、回動支持機構１２０に予期せぬ外力が加えられたとしても、フック１７２と支軸１３９との係合が簡単に解除できないようになっている。
【００８２】
〈上蓋３の取り外し動作〉
以下、図１０及び図１１が参照されつつ、上蓋３を本体２から取り外す動作について説明される。図１０は、上蓋３が開放姿勢にあるときの回動支持機構１２０の縦断面構造を示す部分断面図である。図１１は、上蓋３が開放姿勢にあるときの回動支持機構１２０の縦断面構造を示す部分斜視図である。
【００８３】
フック１７２が上記ロック姿勢にある状態で、開方向へ上蓋３が回動されると、上蓋３は、所定の開放姿勢で静止する。具体的には、蓋側ヒンジ１２２の凹凸面１７８が本体側ヒンジ１２１の突起１３２に当接することにより、上蓋３の開方向への姿勢変化が規制される。上蓋３が閉塞姿勢から開放姿勢まで回動されると、上蓋３の回動動作に伴ってフック１７２も回動して、図１０及び図１１に示されるように、その先端１７３が本体２の上面１０２に露出される。なお、フック１７２の先端１７３が上面１０２に突出するように構成されていてもよい。この状態で、釣人は、フック１７２の先端１７３を操作することが可能となる。特に、先端１７３が上面１０２に突出していれば、釣人は先端１７３の操作が容易となる。具体的には、フック１７２の先端１７３を支軸１３９から離れる方向（矢印１８６参照）へ押さえつつ下方へ押し込むことが可能となる。フック１７２の先端１７３が下方へ押し込まれると、フック１７２と当接部１６２との挟持が弛み、フック１７２と支軸１３９との係合が解除される。
【００８４】
このように、本実施形態のクーラーボックス１００では、上蓋３を本体２から取り外すことができるため、釣人は、クーラーボックス１００の使用後に、本体２から上蓋３を取り外して、上蓋３を容易に洗浄することが可能となる。また、回動支持機構１２０によって本体２に上蓋３が連結された状態では、回動支持機構１２０による上蓋３と本体２との連結が外部から不用意に解除されない。そのため、クーラーボックス１００の使用中、つまり本体２の上面１０２が上蓋３で閉じられた状態において、本体２と上蓋３とを確実に連結することが可能となる。
【００８５】
本実施形態に係るクーラーボックス１００は、例えば、図１２に示されるように用いられる。図１２は、クーラーボックス１００に付属品が取り付けられた状態を示す斜視図である。
【００８６】
図１２に示されるように、クーラーボックス１００の本体２にはシンカーホルダ２０１と、餌箱２０２とが取り付けられている。シンカーホルダ２０１は、シンカーを保持するためのものであり、餌箱２０２は釣餌を収容するためのものである。シンカーホルダ２０１及び餌箱２０２は、いずれも、本体２の前面１０４に取り付けられている。シンカーホルダ２０１は、前面１０４の左下部に配置されており、餌箱２０２は、前面１０４の右上部に配置されている。また、正面から見て右側面の前面１０４側には、釣り竿を仮置きするためのロッドホルダ２０４が取り付けられている。また、正面から見て左側面には、他の釣道具を収容するための小物ケース２０６が取り付けられている。これら各付属品の取り付けは、ビスなどの固定具や吸盤などの周知の手法で行われる。
【００８７】
このように各付属品が本体２の前面１０４に取り付けられ、或いは前面１０４側からアクセス可能な位置に配置されることにより、釣人は、実釣時において、前面１０４側からクーラーボックス１００にアクセスすることで、釣れた魚をクーラーボックスに投入することや、仕掛けの交換作業、餌の交換作業などを行うことができる。
【００８８】
〈開閉装置１Ａの構成〉
以下、図１及び図１３が参照されて、開閉装置１Ａの構成及び動作について説明される。図１３は、図１における切断線XIII−XIIIの断面構造を示す概略図である。
【００８９】
開閉装置１Ａは、図１及び図１３に示されるように、本体側掛止部４、操作部５（本発明の操作部材に相当）、蓋側掛止部１５などを備えている。本体側掛止部４は本体２側に組み込まれ、操作部５、蓋側掛止部１５は上蓋３側に組み込まれる。なお、本体側掛止部４及び蓋側掛止部１５が、本発明の係合機構に相当する。
【００９０】
〈本体側掛止部４〉
図１３に示されるように、本体側掛止部４は、第１本体側凹部２６の奥壁に設けられている。本体側掛止部４は、軸部材４１と、軸部材４１を水平に支持するブラケット４２とを有している。軸部材４１とブラケット４２とは共に金属製である。軸部材４１は、第１本体側凹部２６の長手方向に平行であり、第１本体側凹部２６の底面２６Ａおよび側面２６Ａから離れて設けられている。ブラケット４２は、軸部材４１の両端を支持しており、第１本体側凹部２６の側面２６Ｂにネジ等の固定手段によって固定されている。
【００９１】
〈操作部５〉
操作部５は、クーラーボックス１００の使用者等に操作され、後述する蓋側掛止部１５を本体側掛止部４と係合する係合位置から解除位置へ切り換えるための部材である。操作部５は、図１に示されるように、上蓋３の側面１１４の上端中央部、言い換えると、上蓋３の上側角部に設けられた第２蓋側凹部３５に設けられている。操作部５は、図１３に示されるように、概ね逆Ｌ字型の断面形状を有しており、上壁部５１および側壁部５２を有する。上壁部５１の外面は、上蓋３の上面１１２と面一となっており、上面視において長方形の外形を有している。側壁部５２の外面は、上蓋３の側面と面一となっており、側面視において長方形の外形を有している。このため、操作部５の上壁部５１と側壁部５２との外面は、上蓋３の角部と面一となっており、外部に露出している（図１参照）。
【００９２】
図１３に示されるように、操作部５の内面には、複数の上部リブ５３が設けられている。複数の上部リブ５３は、操作部５の内面の上部に軸方向に並んで設けられており、金属製の第１支持シャフト５５（回転軸）が通される貫通孔が設けられている。第１支持シャフト５５は、第２蓋側凹部３５の左右側の側壁に回動可能に支持されている。操作部５は、この第１支持シャフト５５を介して第２蓋側凹部３５の左右側の側壁に所定角度だけ回動可能（姿勢変化可能）に支持されている。また、第１支持シャフト５５にはネジリコイル型の付勢部材５６が取り付けられており、操作部５は、付勢部材５６によって付勢されている。操作部５が操作されていない通常状態では、操作部５の上壁部５１と側壁部５２との外面が上蓋３の角部と面一となるように、操作部５の姿勢が保持されている。操作部５の動作は側壁部５２の内面を介して蓋側掛止部１５に伝達される。
【００９３】
操作部５の上壁部５１の内側端部は、上蓋３の上面１１２側に面して配置されており、また、上壁部５１の内側端部と第２蓋側凹部３５の側面３５Ａとの間には、複数本の指を挿入可能な程度の隙間が設けられている。これにより、操作部５の上壁部５１の内側端部は、上蓋３の上方から操作部５を操作する際に指が掛けられる上面操作部５８となっている。この上面操作部５８は上述した付勢部材５６によって下方へ付勢されている。
【００９４】
また、操作部５の側壁部５２の外面下部は、上蓋３の側面側に面して配置されており、上蓋３の側方から操作部５を操作する際に指で押圧される側面操作部５９となっている。この側面操作部５９は上述した付勢部材５６によって外側方向に付勢されている。
【００９５】
第１支持シャフト５５は、上面操作部５８と側面操作部５９との間に設けられている。このため、操作部５は、上面操作部５８と側面操作部５９との間に設けられた第１支持シャフト５５を中心に揺動可能である。上面操作部５８が移動すると、操作部５全体が回動し、側面操作部５９も移動する。従って、上面操作部５８が上方向へ移動すると、これに連動して、側面操作部５９が内側方向へ移動する。なお、この操作部５は、上面操作部５８から側面操作部５９までに亘る部分が外部に露出しており、上壁部５１と側壁部５２との外面全体での操作も可能である。
【００９６】
〈蓋側掛止部１５〉
蓋側掛止部１５は、本体側掛止部４に係脱する部分である。蓋側掛止部１５が本体側掛止部４に掛止されることによって、上蓋３と本体２とが係合する。蓋側掛止部１５は、操作部５とは別体の部品であり、樹脂から成形されている。蓋側掛止部１５は、操作部５と略同じ幅を有するものであり、側壁部５２の裏面側であって、上壁部５１の下方に配置されている。この蓋側掛止部１５は、本体側掛止部４に対向する位置に配置される。
【００９７】
蓋側掛止部１５は、本体部６１と、上部に伝達突起１６、下部に爪部１７、そして伝達突起１６と爪部１７との間に支持シャフト１８が通される貫通孔１９が設けられている。
【００９８】
支持シャフト１８は、第２蓋側凹部３５の左右側の側壁に回動可能に支持されている。蓋側掛止部１５は、支持シャフト１８を中心に回動可能に設けられている。支持シャフト１８には、ネジリコイル型の付勢部材（図示せず）が取り付けられており、蓋側掛止部１５を本体側掛止部４と係合する係合位置方向（内側方向）へ付勢する。
【００９９】
伝達突起１６は、蓋側掛止部１５から軸方向に突出して設けられた棒状の部分であり、操作部５の側壁部５２の内面に接触している。この伝達突起１６を介して操作部５の動きが蓋側掛止部１５に伝達される。
【０１００】
爪部１７は、本体部６１の内側面から内側方向に突出したフック状の形状を有する。爪部１７は、内側方向に付勢されることにより、本体側掛止部４と係合する。上面操作部５８が上方向に引き上げられ又は側面操作部５９が上蓋３の外側から内側方向へ押圧されると、この操作部５の動作と共に蓋側掛止部１５が付勢部材５６などの付勢力に抗して外側方向に回動する（図１３（Ｂ）参照）。これにより、爪部１７が外側方向に移動し、係合位置から解除位置へ切り換えられる。
【０１０１】
〈開閉動作〉
次に、上蓋３を開閉する際の開閉装置１Ａの動作が図１３及び図１４に基づいて説明される。
【０１０２】
まず、図１４に示されるように、片開き状態において開放されている開閉装置１Ａでは、蓋側掛止部１５が付勢部材５６などのの付勢力により係合位置に保持されている。
【０１０３】
この状態から上蓋３を本体２の上に重ねて開閉装置１Ａを閉状態にする際、本体側掛止部４の軸部材４１に蓋側掛止部１５の爪部１７の円弧状の下面が当接し、蓋側掛止部１５の下端がこの当接による応力により外側（図１４の右側）へ一旦逃げ、爪部１７が軸部材４１を下方へ通過する。通過後は、蓋側掛止部１５が付勢部材５６などの付勢力により内側方向（係合位置方向、図１４の左方向）に回動されて、爪部１７が軸部材４１と係合する（図１３（Ａ）参照）。
【０１０４】
図１３（Ａ）は、閉状態での操作部５および蓋側掛止部１５を示している。この状態ではシール材３６が本体２の開口縁部２８に圧接している。また、第１本体側凹部２６は操作部５によって覆われた状態となる。
【０１０５】
図１３（Ｂ）は、上蓋３を本体２より外して片開き状態とする際の過程を示している。この場合、２通りの開き方が選択可能である。１つは、側面操作部５９を操作して開く方法であり、もう１つは上面操作部５８を操作して開く方法である。
【０１０６】
側面操作部５９を操作する場合、指で側面操作部５９を内側方向（図１３の左側方向）に押圧する。これにより、操作部５が回動し、側面操作部５９が付勢部材５６などの付勢力に抗して内側方向へ移動する。そして、この側面操作部５９の内面によって、側面操作部５９の動きが伝達突起１６を介して蓋側掛止部１５に伝達される。これにより、蓋側掛止部１５が支持シャフト１８を中心にして、左回転方向（図１３において反時計方向）へ回動する。これにより、爪部１７が外側方向（図１３の右側方向）へ離反して、軸部材４１に対する爪部１７の係合が解除される。この状態で、操作部５を上へ持ち上げると、操作部５と共に上蓋３が上方に移動し、片開き状態となる。
【０１０７】
また、上面操作部５８を操作する場合は、指を上面操作部５８と第２蓋側凹部３５の側面３５Ａとの間の隙間に挿入し、上面操作部５８に指を掛けて引き上げる。これにより、操作部５が回動し、上面操作部５８が付勢部材５６など付勢力に抗して上方へ移動する。そして、この上面操作部５８の動きが側面操作部５９の内面から伝達突起１６を介して蓋側掛止部１５に伝達され、蓋側掛止部１５が支持シャフト１８を中心にして左回転方向へ回動する。これにより、軸部材４１に対する爪部１７の係合が解除される。そして、この状態で、操作部５を上へ持ち上げると、操作部５と共に上蓋３が上方に移動し、片開き状態となる。
【０１０８】
このクーラーボックス１００の開閉装置１Ａでは、側面操作部５９と上面操作部５８とを有する操作部５が揺動可能に設けられている。このため、側面操作部５９を内側方向へ押圧する操作と、上面操作部５８を上方に引き上げる操作とのいずれの操作が行われても、操作部５が回動して、蓋側掛止部１５が係合位置から解除位置へと移動する。このため、クーラーボックス１００の上蓋３を開く際に、２通りの開き方が可能である。すなわち、クーラーボックス１００の側方から指で側面操作部５９を押圧することにより、開閉装置１Ａを開状態にすることができる。これにより、クーラーボックス１００の側方の空間が狭い場合でも、上蓋３の開操作が可能である。また、クーラーボックス１００の側方の空間がさらに狭くて指を差し込むことができない場合であっても、上面操作部５８を上方向に引き上げることによって、上蓋３の開操作を行うことができる。このように、このクーラーボックス１００の開閉装置１Ａでは、上蓋３の開操作が行い易くなっている。
【０１０９】
このクーラーボックス１００の開閉装置１Ａでは、操作部５と蓋側掛止部１５が別体の部品であるため、操作部５と蓋側掛止部１５の動作の自由度を向上させることができる。このため、設計の際に、操作部５と蓋側掛止部１５との移動量を容易に調整することができる。
【０１１０】
このクーラーボックス１００の開閉装置１Ａでは、操作部５の上壁部５１および側壁部５２の全体が外部に露出している。このため、手で触れて操作することのできる部分が大きくなっており、操作が容易である。また、上壁部５１および側壁部５２は、通常状態では、上蓋３の角部と面一となっているため、クーラーボックス１００の美観が向上している。
【０１１１】
〈開閉装置１Ｂ〉
本実施形態のクーラーボックス１００は、上記の開閉装置１Ａに代えて、以下の開閉装置１Ｂを用いることができる。
【０１１２】
例えば、図１５に示される開閉装置１Ｂでは、操作部５は、ネジリコイル型の付勢部材６９によって内側方向に付勢されている。より具体的には、操作部５の側壁部５２が内側方向に付勢されており、上壁部５１は上方向に付勢されている。また、蓋側掛止部１５の爪部１７は、ネジリコイル型の付勢部材６８によって内側方向に付勢されることによって本体側掛止部４に係合する。この場合、伝達突起１６は外側方向、すなわち、操作部５の側壁部５２の内面に押圧される方向に付勢されている。このため、操作部５の側壁部５２と伝達突起１６とは互いに押圧し合う方向に付勢されている。
【０１１３】
このような開閉装置１Ｂでは、操作部５の側壁部５２と伝達突起１６とが互いに押圧し合う方向に付勢されることにより、側壁部５２と伝達突起１６とが離れることが防止される。これにより、操作部５と蓋側掛止部１５とを確実に連動させることができ、誤作動状態の発生を防止することができる。
【０１１４】
なお、付勢部材６９による操作部５への付勢力を付勢部材６８の蓋側掛止部１５への付勢力よりも弱くすることによって、開閉装置１Ｂが誤って開状態となってしまうことを防止することができる。
【０１１５】
なお、上述の実施形態では、開閉装置１Ａ及び１Ｂに用いられる付勢部材（付勢部材５６，６８，６９等）としてネジリコイル型のものを適用することとしたが、これらに代えた、例えば、圧縮コイル型の付勢部材（圧縮コイルバネ）や、円錐型の付勢部材（円錐バネ）等を適用することも可能である。圧縮コイル型の付勢部材を用いることにより、ネジリコイル型のものと比べて蓋側掛止部１５から伝わる力に対して効率よく反力を生じさせることができる。また、円錐型の付勢部材を用いることにより、軸方向の長さが短くなるため、配置スペースが狭い場合でも容易に付勢部材を取り付けることができる。
【０１１６】
なお、クーラーボックス１００に適用可能な開閉装置は、上述の開閉装置１Ａ及び１Ｂに限定されるものではなく、例えば、特開２００７−６３５７４号公報に開示された種々の開閉装置を適用することが可能である。
【産業上の利用可能性】
【０１１７】
本発明は、魚釣り用のクーラーボックス、特に、片開きタイプのクーラーボックスに適用され得る。
【図面の簡単な説明】
【０１１８】
【図１】図１は、本発明の一実施形態に係るクーラーボックスの外観を示す斜視図であり、正面側から見たクーラーボックスの斜視外観が示されている。
【図２】図２は、本発明の一実施形態に係るクーラーボックスの外観を示す斜視図であり、背面側から見たクーラーボックスの斜視外観が示されている。
【図３】図３は、上蓋に設けられた扉を示す部分斜視図である。
【図４】図４は、回動支持機構の構成を示す部分拡大図である。
【図５】図５は、本体側ヒンジの構成を示す部品図であり、（Ａ）は正面図、（Ｂ）は上面図、（Ｃ）は側面図、（Ｄ）は（Ａ）における切断線VD−VDの断面図である。
【図６】図６は、蓋側ヒンジの構成を示す部品図であり、（Ａ）は正面図、（Ｂ）は上面図、（Ｃ）は側面図、（Ｄ）は（Ａ）における切断線VID−VIDの断面図である。
【図７】図７は、係合レバーの構成を示す部品図であり、（Ａ）は正面図、（Ｂ）は上面図、（Ｃ）は側面図である。
【図８】図８は、蓋側ヒンジに係合レバーが取り付けられた状態を示す斜視図である。
【図９】図９は、回動支持機構の縦断面構造を示す部分断面図であり、（Ａ）には、係合レバーのロックが解除された状態が示されており、（Ｂ）には、係合レバーによるロック状態が示されている。
【図１０】図１０は、上蓋が開放姿勢にあるときの回動支持機構の縦断面構造を示す部分断面図である。
【図１１】図１１は、上蓋が開放姿勢にあるときの回動支持機構の縦断面構造を示す部分斜視図である。
【図１２】図１２は、クーラーボックスに付属品が取り付けられた状態を示す斜視図である。
【図１３】図１３は、開閉装置１Ａの概略構成を示す断面図であり、図１における切断線XIII−XIIIの断面構造が示されている。
【図１４】図１４は、開状態の開閉装置の断面構造を示す概略図である。
【図１５】図１５は、開閉装置１Ｂの概略構成を示す断面図である。
【符号の説明】
【０１１９】
２・・・本体
３・・・上蓋
４・・・本体箱側掛止部
５・・・操作部
６・・・蓋側掛止部
７・・・カバー部材
８０・・・保冷室
８４・・・開口
８８・・・扉
８９・・・投入口
９０・・・凹陥部
９６・・・レバー
９７・・・フック
１００・・・クーラーボックス
１０２・・・上面
１０４・・・前面
１０６・・・後面
１１２・・・上面
１１４・・・側面
１１６・・・側面
１２０・・・回動支持機構
１２１・・・本体側ヒンジ
１２２・・・蓋側ヒンジ
１２３・・・係合レバー
１６５・・・支持部
１７０・・・アーム
１７２・・・フック
１７３・・・先端
１７６・・・外面
【図１】
0004949282.tif 000002
【図２】
0004949282.tif 000003
【図３】
0004949282.tif 000004
【図４】
0004949282.tif 000005
【図５】
0004949282.tif 000006
【図６】
0004949282.tif 000007
【図７】
0004949282.tif 000008
【図８】
0004949282.tif 000009
【図９】
0004949282.tif 000010
【図１０】
0004949282.tif 000011
【図１１】
0004949282.tif 000012
【図１２】
0004949282.tif 000013
【図１３】
0004949282.tif 000014
【図１４】
0004949282.tif 000015
【図１５】
0004949282.tif 000016